(57)【特許請求の範囲】
【請求項１】
一面に明色面が形成されて、天井機器用開口部、照明器具用取付孔位置標識及び照明フレーム用取付孔位置標識が設けられた内装板を製作する第一工程と、上記内装板の明色面をかご内側に配置し上記内装板の他面を上記かごの天井面に配置して上記天井に上記内装板を接着保持し、上記天井機器用開口部に従って上記天井面に開口部を加工し、上記照明器具用取付孔位置標識に従って上記天井面に取付孔を加工し、上記照明フレーム用取付孔位置標識に従って上記天井面に取付孔を加工する第二工程と、少なくとも、上記照明器具用取付孔を介して照明器具を装着し、上記照明フレーム用取付孔を介して照明フレームを装着する第三工程とからなるエレベーターかごの天井改装方法。
【発明の詳細な説明】
【０００１】
【発明の属する技術分野】
この発明は、既設エレベーターの内装を更新するエレベーターかごの天井改装方法に関する。
【０００２】
【従来の技術】
図５は、従来のエレベーターかごの天井照明改装方法を説明するエレベーターのかごの要部縦断側面図である。図において、１はかご、２はかご１の天井、３は天井２の中央部に設けられた非常救出口、４は天井２の一部を形成して非常救出口３を開閉する蓋、５は蓋４に設けられた換気装置、６は天井２に設けられた照明器具で、取付孔を介して取付ねじ７によって天井２に締結されている。
【０００３】
上記のように構成されたエレベーターのかご１について、内装の模様替えを行う場合であってかご１の天井照明を改装するときに、従来次に述べるような改装工事が行われていた。すなわち、天井２から旧設の換気装置５、照明器具６が撤去される。
【０００４】
次いで、新設される換気装置用の開口部（図示しない）が天井２面に寸法採りされてマーキングされ、また新設される照明器具用の取付孔（図示しない）が天井２面に寸法採りされてマーキングされる。次に、天井２面のマーキングに従って開口部、取付孔の加工が行われると共に、旧設の開口部、取付孔の塞ぎ加工及び天井２面の再塗装等の仕上げ作業が行われる。
【０００５】
【発明が解決しようとする課題】
上記のような従来のエレベーターかごの天井改装方法では、取付孔のマーキング作業がかご１内で行われ、また旧設の取付孔等の塞ぎ加工及び天井２面の再塗装等の仕上げ作業が行われる。このため、狭いかご１内での煩雑な作業となり天井改装のために長時間を要するという問題点があった。
【０００６】
この発明は、かかる問題点を解消するためになされたものであり、かごの照明装置箇所を容易に更新することができるエレベーターかごの天井改装方法を得ることを目的とする。
【０００７】
【課題を解決するための手段】
この発明に係るエレベーターかごの天井改装方法においては、一面に明色面が形成されて、天井機器用開口部、照明器具用取付孔位置標識及び照明フレーム用取付孔位置標識が設けられた内装板を製作する第一工程と、内装板の明色面をかご内側に配置し内装板の他面をかごの天井面に配置して天井に内装板を接着保持し、天井機器用開口部に従って天井面に開口部を加工し、照明器具用取付孔位置標識に従って天井面に取付孔を加工し、照明フレーム用取付孔位置標識に従って天井面に取付孔を加工する第二工程と、少なくとも、照明器具用取付孔を介して照明器具を装着し、照明フレーム用取付孔を介して照明フレームを装着する第三工程とからなる作業が行われる。
【０００８】
【発明の実施の形態】
実施の形態１．
図１〜図４は、この発明の実施の形態の一例を説明する図で、図１はエレベーターのかごの要部縦断側面図、図２は図１の天井の下面に配置される内装板の平面図、図３は図２のＡ−Ａ線断面図、図４は図１の天井の下面に配置される非常救出口箇所の内装板の平面図である。
【０００９】
図において、１はかご、２はかご１の天井、３は天井２の中央部に設けられた非常救出口である。４は天井２の一部を形成して非常救出口３を開閉する蓋、５は蓋４に設けられた換気装置、６は天井２に設けられた照明器具で、取付孔８を介して取付ねじ７によって天井２に締結されている。
【００１０】
９は第一内装板で、薄鋼板からなり一面に明色面が形成され、この明色面が下側に配置され中央部に非常救出口３、すなわち天井機器用開口部に対応した開口部１０が設けられ、他面すなわち下面側に照明器具用取付孔位置標識１１及び照明フレーム用取付孔位置標識１２が設けられている。また、外周縁部及び開口部１０の周縁部の上面側に両面接着テープ１３が装着されている。
【００１１】
１４は第二内装板で、薄鋼板からなり一面に明色面が形成され、この明色面が下側に配置され中央部に換気装置５、すなわち天井機器用開口部に対応した開口部１５が設けられ、他面すなわち下面側に照明フレーム用取付孔位置標識１２及び換気装置用取付孔位置標識１６が設けられている。また、外周縁部の上面側に両面接着テープ１７が装着されている。
【００１２】
１８は天井２の下面から下方に離れて配置されて光天井を形成する照明フレームで、上方に延長された取付板１９の上縁部が取付孔２０を介して取付ねじ２１によって天井２に締結されている。２２は周囲が照明フレーム１８に支持されて装着された散光板、２３は周囲が照明フレーム１８に支持されて装着された換気装置５のデフューザである。
【００１３】
上記のような構成によるエレベーターかごの天井改装方法において、エレベーターのかご１について、内装の模様替えを行う場合であって、かご１の天井照明を改装するときに次に述べるような改装工事が行われる。すなわち、図示が省略してあるが天井２から旧設の換気装置、照明器具が撤去される。
【００１４】
そして、工場における第一工程において、下面側に照明器具用取付孔位置標識１１等がが設けられ、また上面側に両面接着テープ１１が装着された第一内装板９及び第二内装板１４が製作される。次いで、かご１内における第二工程により、第一内装板９、第二内装板１４の明色面を下側にして、第一内装板９の上側が天井２下面の所定位置に両面接着テープ１３により、また第二内装板１４の上側が非常救出口３の蓋４下面の所定位置に両面接着テープ１７によりそれぞれ接着保持される。
【００１５】
そして、第二内装板１４の開口部１５に従って蓋４に換気装置５用の開口部が加工される。また、第一内装板９の照明器具用取付孔位置標識１１及び照明フレーム用取付孔位置標識１２に従って天井２板に取付ねじ７，２１用の取付孔８，２０が加工される。また、第二内装板１４の照明フレーム用取付孔位置標識１２及び換気装置用取付孔位置標識１６に従って蓋４に取付ねじ用の取付孔が加工される。
【００１６】
次に、かご１内により第三工程により、第二内装板１４の下側から非常救出口３の蓋４の取付孔を介して換気装置５が蓋４に装着され、また第一内装板９の下側から天井２板の取付孔８を介して照明器具６が天井２に装着される。そして、第二内装板１４又は第一内装板９の下側から、蓋４又は天井２板の取付孔２０を介して照明フレーム１８が蓋４又は天井２板に装着される。そして、照明フレーム１８に散光板２２、デフューザ２３が支持されて装着される。
【００１７】
以上説明したような天井照明の改装工事では、照明器具用取付孔位置標識１１等が設けられた第一内装板９及び第二内装板１４が、天井２板等に対する改装工事のための取付孔８，２０加工のゲージ板の機能を果たす。そして、第一内装板９及び第二内装板１４は工場において製作されるので、かご１内での作業による天井２面等に対する寸法採り、マーキング作業を省くことができる。
【００１８】
また、第一内装板９及び第二内装板１４は天井２面等に接着保持されたまま照明器具６の取付ねじ７等によって天井２面等に固定され、さらに第一内装板９及び第二内装板１４は明色面がかご１内側に配置される。したがって、天井２面等の旧設の照明器具の取付孔等の塞ぎ加工及び天井２面の再塗装等の仕上げ作業が不要になる。
【００１９】
また、かご１内側に第一内装板９及び第二内装板１４の明色面が配置されることによって、照明器具６による照明効率を向上することができる。また、上述の天井照明の改装工事によって狭いかご１内での煩雑な作業が減少して、天井照明の改装を容易に行うことができ作業時間を短縮することができる。これによって、かご１の照明装置箇所を容易に更新することができ、費用を節減することができる。
【００２０】
【発明の効果】
この発明は以上説明したように、一面に明色面が形成されて、天井機器用開口部、照明器具用取付孔位置標識及び照明フレーム用取付孔位置標識が設けられた内装板を製作する第一工程と、内装板の明色面をかご内側に配置し内装板の他面をかごの天井面に配置して天井に内装板を接着保持し、天井機器用開口部に従って天井面に開口部を加工し、照明器具用取付孔位置標識に従って天井面に取付孔を加工し、照明フレーム用取付孔位置標識に従って天井面に取付孔を加工する第二工程と、少なくとも、照明器具用取付孔を介して照明器具を装着し、照明フレーム用取付孔を介して照明フレームを装着する第三工程とからなる作業を行うものである。
【００２１】
これによって、照明器具用取付孔位置標識等が設けられた内装板が、天井に対する改装工事のための取付孔加工のゲージ板の機能を果たし、内装板は工場において製作されるので、かご内での作業による天井面に対する寸法採り、マーキング作業を省くことができる。また、内装板は天井面に接着保持されたまま照明器具取付ねじ等によって天井面に固定される。さらに、内装板は明色面がかご内側に配置されるので、天井面の旧設の照明器具の取付孔等の塞ぎ加工及び天井面の再塗装等の仕上げ作業が不要になる。このため、狭いかご内での煩雑な作業が減少して作業時間を短縮することができ、かごの天井改装を容易に行うことができ費用を節減する効果がある。
【図面の簡単な説明】
【図１】この発明の実施の形態１を説明する図で、エレベーターのかごの要部縦断側面図。
【図２】図１の天井の下面に配置される内装板の平面図。
【図３】図２のＡ−Ａ線断面図。
【図４】図１の天井に配置される非常救出口箇所の内装板の平面図。
【図５】従来のエレベーターかごの天井照明改装方法を説明するエレベーターのかごの要部縦断側面図。
【符号の説明】
１  かご、２  天井面、６  照明器具、８  取付孔、９  第一内装板、１０
天井機器用開口部、１１  照明器具用取付孔位置標識、１２  照明フレーム用取付孔位置標識、１４  第二内装板、１５  天井機器用開口部、１６  換気装置用取付孔位置標識、１８  照明フレーム、２０  取付孔。
【図１】
0003578314.tif 000002
【図２】
0003578314.tif 000003
【図３】
0003578314.tif 000004
【図４】
0003578314.tif 000005
【図５】
0003578314.tif 000006